(57)【特許請求の範囲】
【請求項１】
据付位置に設けられた取付孔に装着されて構造物を前記据付位置にガイドする複数分割式ガイドピンにおいて、
複数の分割ピンが直線状に着脱自在に連結されて構成され、
前記複数の分割ピンは、一端部に前記取付孔に装着される装着部が設けられる第１分割ピンと、一端部に前記構造物の貫通孔に挿通可能な先細部が設けられる第２分割ピンとを有し、
前記第１分割ピンは、前記第２分割ピンが離脱した後も前記構造物を前記据付位置にガイドする、
ことを特徴とする複数分割式ガイドピン。
【請求項２】
前記取付孔は、前記構造物を前記据付位置に固定するための締結ボルトが螺合するねじ孔であり、前記装着部は、前記ねじ孔に螺合するねじ部であることを特徴とする請求項１に記載の複数分割式ガイドピン。
【請求項３】
前記第１分割ピンの他端部に凹部が設けられ、前記第２分割ピンの他端部に前記凹部に連結される凸部が設けられることを特徴とする請求項１または請求項２に記載の複数分割式ガイドピン。
【請求項４】
前記凸部と前記凹部とは、螺合して連結されることを特徴とする請求項３に記載の複数分割式ガイドピン。
【請求項５】
前記複数の分割ピンは、互いの連結を解除するための係止部が設けられることを特徴とする請求項１から請求項４のいずれか一項に記載の複数分割式ガイドピン。
【請求項６】
据付位置に設けられた取付孔に複数の分割ピンが直線状に着脱自在に連結されて構成されるガイドピンを装着する工程と、
構造物の貫通孔を前記ガイドピンに挿通させる工程と、
前記構造物を前記ガイドピンに沿って移動することで前記据付位置に据え付ける工程と、
先端部の前記分割ピンを取外すことで残りの前記分割ピンにより前記構造物を前記据付位置にガイドする工程と、
を有することを特徴とする構造物の据付方法。
【発明の詳細な説明】
【技術分野】
【０００１】
本発明は、構造物を所定の位置に据え付けるときに使用する複数分割式ガイドピン、この複数分割式ガイドピンを用いた構造物の据付方法に関するものである。
【背景技術】
【０００２】
所定の位置に固定された古い構造物を撤去し、新たな構造物を据え付ける場合、撤去した構造物の位置に新たな構造物を精度良く据え付ける必要がある。従来、古い構造物を撤去する前に、この構造物を固定するためのボルト穴にガイドピンを固定し、このガイドピンを固定したままで古い構造物を撤去する。そして、ガイドピンをガイドとして利用し、新たな構造物を所定の位置に据え付けることが実施されている。
【０００３】
このようなガイドピンを利用したガイドピンとしては、例えば、下記特許文献１に記載されたものがある。この特許文献１に記載された原子炉圧力容器の据付装置は、原子炉圧力容器を格納容器の上部から吊り降ろし、スカートフランジをペデスタルの基礎ボルト上に連結されたガイドピンに嵌合させながら降下させ、その基礎ボルト上に圧力容器のスカートフランジを据付けるものである。
【先行技術文献】
【特許文献】
【０００４】
【特許文献１】特開平０８−１７０９９６号公報
【発明の概要】
【発明が解決しようとする課題】
【０００５】
新たな構造物を下降して所定の位置に据え付ける場合、この構造物の下部が位置決め部に嵌合するまでガイドする必要があることから、この構造物の据付け時に使用するガイドピンは、所定の長さを確保する必要がある。ところが、このガイドピンは、据付位置に立設されていることから、据付位置の上方空間を占有してしまい、その他の作業の邪魔になってしまうことがある。しかし、ガイドピンは、構造物をガイドピンにより所定の位置に据え付けた後も、構造物の位置調整作業を実施する上で必要なものであり、早期に取外すことができない。なお、特許文献１の原子炉圧力容器の据付装置では、台座に設けられた基礎ボルトにガイドピンを直線状に立設しており、この場合であっても、ガイドピンが所定の長さを有していることから、据付位置の上方空間を占有してその他の作業の邪魔になってしまう。
【０００６】
本発明は、上述した課題を解決するものであり、構造物を高精度に据付可能とすると共に構造物の据付時に十分な作業空間を確保して作業性の向上を図る複数分割式ガイドピン及び構造物の据付方法を提供することを目的とする。
【課題を解決するための手段】
【０００７】
上記の目的を達成するための本発明の複数分割式ガイドピンは、据付位置に設けられた取付孔に装着されて構造物を前記据付位置にガイドする複数分割式ガイドピンにおいて、複数の分割ピンが直線状に着脱自在に連結されて構成される、ことを特徴とするものである。
【０００８】
従って、複数の分割ピンを直線状に着脱自在に連結してガイドピンを構成することから、所定の長さを有するガイドピンにより構造物を高精度に据付することができ、また、ガイドピンを分割して分割ピンとすることで、構造物の据付位置がずれることなく周囲に十分な作業空間を確保して周囲での各種作業の作業性を向上することができる。
【０００９】
本発明の複数分割式ガイドピンでは、前記複数の分割ピンは、一端部に前記取付孔に装着される装着部が設けられる第１分割ピンと、一端部に前記構造物の貫通孔に挿通可能な先細部が設けられる第２分割ピンとを有することを特徴としている。
【００１０】
従って、ガイドピンを据付位置の取付孔に装着するときに第１分割ピンの装着部を用い、構造物をガイドピンに沿わせるときに第２分割ピンの先細部を用い、構造物を据付位置に位置決めした後に第２分割ピンを分離するため、各分割ピンをその機能ごとに構成して着脱自在とすることで、構造を簡素化することができる。
【００１１】
本発明の複数分割式ガイドピンでは、前記取付孔は、前記構造物を前記据付位置に固定するための締結ボルトが螺合するねじ孔であり、前記装着部は、前記ねじ孔に螺合するねじ部であることを特徴としている。
【００１２】
従って、構造物を据付位置に固定するためのねじ孔を利用してガイドピンを装着することで、別途据付位置への加工が不要となり、コストの増加を抑制することができる。
【００１３】
本発明の複数分割式ガイドピンでは、前記第１分割ピンの他端部に凹部が設けられ、前記第２分割ピンの他端部に前記凹部に連結される凸部が設けられることを特徴としている。
【００１４】
従って、第１分割ピンの凹部と第２分割ピンの凸部を嵌合することでガイドピンを構成するため、簡単な構成で容易に各分割ピンを着脱自在とすることができる。
【００１５】
本発明の複数分割式ガイドピンでは、前記凸部と前記凹部とは、螺合して連結されることを特徴としている。
【００１６】
従って、凸部と凹部を螺合して各分割ピンを連結することで、構造を簡素化することができる。
【００１７】
本発明の複数分割式ガイドピンでは、前記複数の分割ピンは、互いの連結を解除するための係止部が設けられることを特徴としている。
【００１８】
従って、各分割ピンにそれぞれ係止部を設けることで、ガイドピンを据付位置に対して容易に着脱することができると共に、各分割ピンの連結を容易に解除することができる。
【００１９】
また、本発明の構造物の据付方法は、据付位置に設けられた取付孔にガイドピンを装着する工程と、構造物の貫通孔を前記ガイドピンに挿通させる工程と、前記構造物を前記ガイドピンに沿って移動することで前記据付位置に据え付ける工程と、前記ガイドピンの先端部を取外す工程と、を有することを特徴とするものである。
【００２０】
従って、複数の分割ピンを直線状に着脱自在に連結してガイドピンを構成することから、所定の長さを有するガイドピンにより構造物を高精度に据付することができ、また、ガイドピンを分割して分割ピンとすることで、構造物の据付位置がずれることなく周囲に十分な作業空間を確保して周囲での各種作業の作業性を向上することができる。
【００２１】
本発明の構造物の据付方法では、前記ガイドピンは、複数の分割ピンが直線状に着脱自在に連結されて構成され、前記構造物が前記据付位置に据え付けられると、先端部の前記分割ピンを取外すことを特徴としている。
【００２２】
従って、構造物の据付後、先端部の前記分割ピンを取外すことで、周囲に十分な作業空間を容易に確保することができる。
【発明の効果】
【００２３】
本発明の複数分割式ガイドピン及び構造物の据付方法によれば、複数の分割ピンを直線状に着脱自在に連結してガイドピンを構成するので、ガイドピンにより構造物を高精度に据付することができ、また、周囲に十分な作業空間を確保して周囲での各種作業の作業性を向上することができる。
【図面の簡単な説明】
【００２４】
【図１】図１は、本実施形態の構造物の据付構造を表す断面図である。
【図２】図２は、本実施形態の複数分割式ガイドピンを表す一部切欠正面図である。
【図３】図３は、複数分割式ガイドピンを表す図２のIII−III断面図である。
【図４】図４は、本実施形態の構造物の据付方法を表す概略図である。
【図５】図５は、本実施形態の構造物の据付方法を表す概略図である。
【図６】図６は、本実施形態の構造物の据付方法を表す概略図である。
【図７】図７は、本実施形態の構造物の据付方法における変形例を表す概略図である。
【図８】図８は、複数分割式ガイドピンの装着方法を表す概略図である。
【図９】図９は、複数分割式ガイドピンの分割方法を表す概略図である。
【発明を実施するための形態】
【００２５】
以下に添付図面を参照して、本発明に係る複数分割式ガイドピン及び構造物の据付方法の好適な実施形態を詳細に説明する。なお、この実施形態により本発明が限定されるものではなく、また、実施形態が複数ある場合には、各実施形態を組み合わせて構成するものも含むものである。
【００２６】
図１は、本実施形態の構造物の据付構造を表す断面図である。
【００２７】
本実施形態の構造物の据付方法は、図１に示すように、炉内構造物（構造物）１１を原子炉容器１２内に据え付けるものである。原子炉容器１２は、有底で上部が開口した円筒形状をなし、その内部に炉内構造物１１が配置されている。即ち、原子炉容器１２は、上面部に上方に開口する取付凹部２１が形成されると共に、この取付凹部２１に連続する収容空間部２２が形成されている。取付凹部２１は、円板形状をなす空間であり、収容空間部２２は、円柱形状をなす空間部であり、同心円状であって鉛直方向に連続して設けられている。
【００２８】
取付凹部２１は、内径が収容空間部２２の内径より大きい寸法に設定されており、取付下面２１ａと支持壁面２１ｂが形成されている。そして、取付凹部２１は、取付下面２１ａに鉛直方向に沿うねじ孔（取付孔）２３が周方向に所定間隔を空けて複数形成されている。一方、収容空間部２２は、収容底面２２ａと収容壁面２２ｂが形成されている。そして、収容空間部２２は、収容壁面２２ｂの鉛直方向における中間部（または、中間部より所定距離だけ下方位置）に支持壁面２２ｃが形成されている。この支持壁面２２ｃは、収容壁面２２ｂから収容空間部２２の中心側に突出した位置にリング形状をなして形成されており、内径が収容壁面２２ｂの内径より小さい寸法に設定されている。即ち、支持壁面２２ｃは、炉内構造物１１における下部構造体３３を振れ止め支持するものであって、内径がこの下部構造体３３の外径より若干大きい寸法に設定されている。
【００２９】
炉内構造物１１は、上部構造体３１と中間部構造体３２と下部構造体３３とから構成されている。中間部構造体３２は、円板形状をなし、上部構造体３１及び下部構造体３３は、円柱形状をなしている。中間部構造体３２は、外径が上部構造体３１及び下部構造体３３の外径より大きい寸法に設定され、取付凹部２１における支持壁面２１ｂの内径より若干小さい寸法に設定されている。上部構造体３１は、外径が下部構造体３３の外径より小さい寸法に設定されている。下部構造体３３は、前述したように、外径が収容空間部２２における支持壁面２２ｃの内径より若干小さい寸法に設定されている。また、中間部構造体３２は、高さが支持壁面２１ｂの高さより若干小さい寸法に設定されており、外周部に鉛直方向に沿う貫通孔３４が周方向に所定間隔を空けて複数形成されている。この貫通孔３４は、取付凹部２１における各ねじ孔２３と一致するように、その数と位置が設定されている。なお、貫通孔３４は、大径の段部３４ａと貫通部３４ｂとから構成されている。
【００３０】
そして、炉内構造物１１は、原子炉容器１２内に据え付けられたとき、中間部構造体３２が取付凹部２１内に配置され、下面が取付下面２１ａに載置され、外周面が支持壁面２１ｂに対向する。また、炉内構造物１１は、下部構造体３３が収容空間部２２内に配置され、底面が収容底面２２ａから離間し、外周面が収容壁面２２ｂから離間して支持壁面２２ｃに支持される。そして、炉内構造物１１は、各貫通孔３４が原子炉容器１２におけるねじ孔２３に位置合わせされた状態で、上部から複数の締結ボルト３５が各貫通孔３４を貫通してねじ孔２３に螺合することで、原子炉容器１２に固定される。なお、締結ボルト３５は、貫通孔３４の段部３４ａに入り込む大径部３５ａと、貫通部３４ｂに貫通するねじ部３５ｂとから構成されている。
【００３１】
このように構成された炉内構造物１１は、点検時や交換時などにおいて、原子炉容器１２から取り出され、再びこの原子炉容器１２内に据え付けられる。このとき、原子炉容器１２への炉内構造物１１の据付時、炉内構造物１１を原子炉容器１２における元の位置に高精度に据え付ける必要がある。このとき、本実施形態の複数分割式ガイドピンを使用する。
【００３２】
図２は、本実施形態の複数分割式ガイドピンを表す一部切欠正面図、図３は、複数分割式ガイドピンを表す図２のIII−III断面図である。
【００３３】
図２及び図３に示すように、複数分割式ガイドピン（以下、ガイドピン）４０は、原子炉容器１２の据付位置に設けられたネジ孔２３に装着されて炉内構造物１１を原子炉容器１２内にガイドするものである。ガイドピン４０は、複数（本実施形態では、２個）の分割ピン４１，４２が直線状に着脱自在に連結されて構成されている。即ち、ガイドピン４０は、第１分割ピン４１と第２分割ピン４２とから構成される。
【００３４】
第１分割ピン４１は、所定の長さを有し、下端部（一端部）にねじ孔２３（図１参照）に螺合して装着されるねじ部（装着部）５１が設けられている。第２分割ピン４２は、上端部（一端部）に炉内構造物１１の貫通孔３４に挿通可能なテーパ部（先細部）５２が設けられている。また、第１分割ピン４１は、上端部の端面に雌ねじ部（凹部）５３が設けられる一方、第２分割ピン４２の下端部（他端部）に雄ねじ部（凸部）５４が設けられている。そのため、第１分割ピン４１と第２分割ピン４２は、雄ねじ部５４が雌ねじ部５３に螺合することで棒状に連結される。
【００３５】
また、第１分割ピン４１は、下部に第１係止部５５が設けられ、第２分割ピン４２は、上部に第２係止部５６が設けられている。各分割ピン４１，４２は、円形断面を有する丸棒であって、各係止部５５，５６は、各分割ピン４１，４２の外周部を面取り加工して正六角断面形状とすることで構成されている。この各係止部５５，５６は、分割ピン４１，４２同士の連結を解除するためのものである。
【００３６】
ここで、本実施形態の構造物の据付方法について説明する。図４から図６は、本実施形態の構造物の据付方法を表す概略図である。図７は、本実施形態の構造物の据付方法における変形例を表す概略図である。図８は、複数分割式ガイドピンの装着方法を表す概略図、図９は、複数分割式ガイドピンの分割方法を表す概略図である。
【００３７】
本実施形態の構造物の据付方法は、据付位置に設けられたネジ孔２３にガイドピン４０を装着する工程と、炉内構造物１１の貫通孔３４をガイドピン４０に挿通させる工程と、炉内構造物１１をガイドピン４０に沿って移動することで据付位置に据え付ける工程と、ガイドピン４０の先端部を取外す工程とを有している。そして、本実施形態の構造物の据付方法は、炉内構造物１１が据付位置に据え付けられると、先端部側の第２分割ピン４２を取外すものである。
【００３８】
本実施形態の構造物の据付方法は、原子炉容器１２における所定の位置に据え付けられた炉内構造物１１を撤去し、同じ位置に別のまたは同じ炉内構造物１１を据え付けるものである。図１に示すように、原子炉容器１２は、収容空間部２２に炉内構造物１１の下部構造体３３が収容され、取付収容凹部２１に中間部構造体３２が複数の締結ボルト３５により固定されている。まず、複数の締結ボルト３５のうちの所定間隔だけ離間した数本（例えば、４本）の締結ボルト３５を弛緩して取外す。次に、図４に示すように、締結ボルト３５を取外した位置にガイドピン４０を装着する。
【００３９】
即ち、図示しないクレーンによりガイドピン４０を炉内構造物１１の上方まで搬送し、第１分割ピン４１側が下方に位置するようにガイドピン４０を鉛直方向に沿って支持する。ガイドピン４０を炉内構造物１１における締結ボルト３５が取り外された貫通孔３４に向けて下降し、ねじ部５１を貫通孔３４を通して原子炉容器１２におけるねじ孔２３に接触させる。ここで、締結工具６２（図８参照）を第１分割ピン４１の係止部５５に係止し、この締結工具６２を用いてガイドピン４０を右回転させることで、第１分割ピン４１のねじ部５１を原子炉容器１２のねじ孔２３に螺合させる。なお、締結工具６２を第２分割ピン４２の係止部５６に係止してガイドピン４０を右回転させてもよい。この場合、締結ボルト３５が取り外された全ての貫通孔３４に対してガイドピン４０をそれぞれ装着する。
【００４０】
複数のガイドピン４０が炉内構造物１１の貫通孔３４を通して原子炉容器１２のねじ孔２３に螺合して装着されると、図１に示すように、残りの締結ボルト３５を弛緩して全ての締結ボルト３５を取外す。クレーンにより炉内構造物１１を吊り上げ、この炉内構造物１１を上昇させることで、原子炉容器１２から取り外し、所定の位置まで搬送する。このとき、原子炉容器１２は、炉内構造物１１が取り外されたものの、複数のガイドピン４０が立設されている状態となる。
【００４１】
続いて、図４に示すように、クレーンにより新たに据え付ける炉内構造物１１を吊り上げ、この炉内構造物１１を原子炉容器１２の上方まで搬送する。炉内構造物１１の中心と原子炉容器１２における収納空間部２２の中心とを一致させると共に、炉内構造物１１の各貫通孔３４と原子炉容器１２に立設された各ガイドピン４０とを一致させる。そして、炉内構造物１１を下降し、各貫通孔３４に各ガイドピン４０を挿通させ、この各ガイドピン４０に沿わせて炉内構造物１１を下降することで、図５に示すように、下部構造体３３を取付凹部２１から収容空間部２２まで下降する。このとき、下部構造体３３の外周面を収容空間部２２の支持壁面２２ｃに嵌合させた後、中間部構造体３２を取付凹部２１に載置する。
【００４２】
この場合、図４に示すように、炉内構造物１１は、下降時に、下部構造体３３が収容空間部２２に入る前に貫通孔３４にガイドピン４０が挿通することで、水平方向における位置決めをする必要がある。そのため、ガイドピン４０は、ねじ部５１とテーパ部５２を除く長さＬ１が、下部構造体３３の高さＬ２より長く設定されている。
【００４３】
炉内構造物１１が原子炉容器１２内に挿入されると、ここで、取付凹部２１（収容空間部２２）に対する炉内構造物１１の水平方向の位置調整作業を実施する。この調整作業は、ガイドピン４０を基準として実施することから、まだガイドピン４０を取外すことはできない。しかし、複数のガイドピン４０が炉内構造物１１より上方に突出していることから、このガイドピン４０が各種作業の邪魔になるおそれがある。そのため、第２分割ピン４２を第１分割ピン４１から分離して取外す。
【００４４】
図８に示すように、締結工具６２を第２分割ピン４２の係止部５６に係止し、この締結工具６２を用いて第２分割ピン４２を左回転させることで、第２分割ピン４２の雄ねじ部５４を第１分割ピン４１の雌ねじ孔５３から離脱させる。このとき、別の締結工具６２を第１分割ピン４１の係止部５５に係止して保持することで、第１分割ピン４１の供回りを防止することが必要である。この場合、全てのガイドピン４０における第２分割ピン４２を取外す。すると、図６に示すように、複数のガイドピン４０のおける第１分割ピン４１は、炉内構造物１１より低くなることから、上方に作業空間を確保することができ、作業部材６１を容易に搬送することができる。
【００４５】
この場合、第１分割ピン４１は、炉内構造物１１の上部構造体３１の上面より上方に突出しない長さに設定されている。
【００４６】
また、図７に示すように、原子炉容器１２の上方に構造物７１が配置され、搬送通路７２が確保されている場合、第１分割ピン４２から第２分割ピン４２を分離した後、この搬送通路７２から第２分割ピン４２や第１分割ピン４１を容易に搬出することができる。
【００４７】
その後、原子炉容器１２に対する炉内構造物１１の位置調整作業が完了すると、図１に示すように、ガイドピン４０が装着されていない各貫通孔３４に締結ボルト３５を挿入し、図示しない装置を用いて締結ボルト３５をねじ孔２３に螺合する。ここで、炉内構造物１１は、原子炉容器１２内に固定されるため、締結工具６２（図８参照）を第１分割ピン４１の係止部５５に係止し、この締結工具６２を用いて第１分割ピン４１を左回転させることで、第１分割ピン４１のねじ部５１と原子炉容器１２のねじ孔２３との螺合を解除し、第１分割ピン４１を取外す。そして、ガイドピン４０が装着されていた各貫通孔３４に締結ボルト３５を挿入し、図示しない装置を用いて締結ボルト３５をねじ孔２３に螺合する。ここで、原子炉容器１２に対する炉内構造物１１の据付作業が完了する。
【００４８】
このように本実施形態の複数分割式ガイドピンにあっては、原子炉容器１２の据付位置に設けられたねじ孔２３に装着されて炉内構造物１１をこの据付位置にガイドするガイドピン４０において、複数の分割ピン４１，４２を直線状に着脱自在に連結して構成している。
【００４９】
従って、複数の分割ピン４１，４２を直線状に着脱自在に連結してガイドピン４０を構成することから、所定の長さを有するガイドピン４０により炉内構造物１１を高精度に原子炉容器１２内に据付することができる。また、ガイドピン４０を分割して分割ピン４１，４２とすることで、ガイドピン４０を分離しても炉内構造物１１の据付位置がずれることなく、周囲に十分な作業空間を確保して周囲での各種作業の作業性を向上することができる。
【００５０】
本実施形態の複数分割式ガイドピンでは、一端部にねじ孔２３に装着されるねじ部５１が設けられる第１分割ピン４１と、一端部に炉内構造物１１の貫通孔３４に挿通可能なテーパ部５２が設けられる第２分割ピン４２とを設けている。従って、ガイドピン４０を据付位置のねじ孔２３に装着するときに第１分割ピン４１のねじ部５１を用い、炉内構造物１１をガイドピン４０に沿わせるときに第２分割ピン４２のテーパ部５２を用い、炉内構造物１１を据付位置に位置決めした後に第２分割ピン４２を分離するため、各分割ピン４１，４２をその機能ごとに構成して着脱自在とすることで、構造を簡素化することができる。
【００５１】
本実施形態の複数分割式ガイドピンでは、炉内構造物１１を原子炉容器１２に固定するための締結ボルト３５が螺合するねじ孔２３を利用し、ねじ部５１をこのねじ孔２３に螺合可能としている。従って、炉内構造物１１を原子炉容器１２に固定するためのねじ孔２３を利用してガイドピン４０を装着することで、別途原子炉容器１２への加工が不要となり、コストの増加を抑制することができる。
【００５２】
本実施形態の複数分割式ガイドピンでは、第１分割ピン４１の他端部に雌ねじ部５３を設け、第２分割ピン４２の他端部に雄ねじ部５４を設け、雌ねじ部５３と雄ねじ部５４を螺合して連結している。従って、簡単な構成で容易に各分割ピン４１，４２を着脱自在とすることができ、構造を簡素化することができる。
【００５３】
本実施形態の複数分割式ガイドピンでは、複数の分割ピン４１，４２に互いの連結を解除するための係止部５５，５６を設けている。従って、ガイドピン４０を原子炉容器１２に対して容易に着脱することができると共に、各分割ピン４１，４２の連結を容易に解除することができる。
【００５４】
また、本実施形態の構造物の据付方法にあっては、原子炉容器１２に設けられたねじ孔２３にガイドピン４０を装着する工程と、炉内構造物１１の貫通孔３４をガイドピン４０に挿通させる工程と、炉内構造物１１をガイドピン４０に沿って移動することで原子炉容器１２に据え付ける工程と、ガイドピン４０の第２分割ピン４２を取外す工程とを設けている。
【００５５】
従って、複数の分割ピン４１，４２を直線状に着脱自在に連結してガイドピン４０を構成することから、所定の長さを有するガイドピン４０により炉内構造物１１を高精度に原子炉容器１２内に据付することができる。また、ガイドピン４０を分割して分割ピン４１，４２とすることで、ガイドピン４０を分離しても炉内構造物１１の据付位置がずれることなく、周囲に十分な作業空間を確保して周囲での各種作業の作業性を向上することができる。
【００５６】
なお、上述した実施形態にて、ガイドピン４０を２本の分割ピン４１，４２から構成したが、この分割本数は、２本に限定されるものではなく、３本以上であってもよい。
【００５７】
また、上述した実施形態にて、第１分割ピン４１と第２分割ピン４２とを雌ねじ部５３と雄ねじ部５４との螺合により着脱自在としたが、この構成に限定されるものではない。例えば、第１分割ピン４１と第２分割ピン４２とを凹部と凸部の嵌合により着脱自在としてもよい。この場合、凹部と凸部の嵌合部を貫通するロックピンを設けることが望ましい。
【００５８】
また、上述した実施形態にて、ガイドピン４０の係止部５５，５６を円形断面の各分割ピン４１，４２の外周部を面取り加工して正六角断面形状とすることで構成したが、この構成に限定されるものではない。即ち、締結工具が係止できれば、いずれの多角断面形状でもよく、少なくとも一つの係止面があればよい。また、係止面に限らず、貫通孔や凹部でもよく、つまり、締結工具が係止できれば、いずれの形状であってもよい。
【００５９】
また、上述した実施形態にて、本発明の複数分割式ガイドピン及び構造物の据付方法を炉内構造物１１を原子炉容器１２内に据え付けるものに適用したが、一般的に構造物の据付に対して適用してもよい。
【符号の説明】
【００６０】
１１  炉内構造物（構造物）
１２  原子炉容器
２１  取付凹部
２２  収容空間部
２２ｃ  支持壁面
２３  ねじ孔（取付孔）
３１  上部構造体
３２  中間部構造体
３３  下部構造体
３４  貫通孔
３５  締結ボルト
４０  ガイドピン（複数分割式ガイドピン）
４１  第１分割ピン
４２  第２分割ピン
５１  ねじ部（装着部）
５２  テーパ部（先細部）
５３  雌ねじ部（凹部）
５４  雄ねじ部（凸部）
５５  第１係止部
５６  第２係止部
【図１】
0006594035.tif 000002
【図２】
0006594035.tif 000003
【図３】
0006594035.tif 000004
【図４】
0006594035.tif 000005
【図５】
0006594035.tif 000006
【図６】
0006594035.tif 000007
【図７】
0006594035.tif 000008
【図８】
0006594035.tif 000009
【図９】
0006594035.tif 000010